(57)【要約】【課題】  取り扱いが容易で、かつ保管と輸送とに係る労力とコストとを大幅に低減することができる看板を提供する。【解決手段】  情報１を記載した平板状の表示板２と、この表示板２の縁部２ａを係止して表示板２を保持する額縁状の本体枠３とを備え、表示板２は、本体枠３に対して取り替え可能なものであり、本体枠３は、本体枠３の上下左右の少なくとも一方の方向に設けられ、表示板２を挿脱自在な開口部６と、この開口部６を開閉可能な蓋部７とを有している。【選択図】      図１
0003105763.tif 000002
【実用新案登録請求の範囲】
【請求項１】
情報を表示する看板であって、
情報を記載した平板状の表示板と、
この表示板の縁部を係止して表示板を保持する額縁状の本体枠と
を備え、
上記表示板は、本体枠に対して取り替え可能なものであり、
上記本体枠は、本体枠の上下左右の少なくとも一方の方向に設けられ、表示板を挿脱自在な開口部と、
この開口部を開閉可能な蓋部とを有していることを特徴とする看板。
【請求項２】
上記蓋部は、ヒンジ部を有し、
このヒンジ部により、蓋部が、開口部に対して開閉可能に設けられていることを特徴とする請求項１記載の看板。
【請求項３】
上記ヒンジ部は、蓋部を開口部に対して閉める方向に付勢する付勢手段を備えていることを特徴とする請求項１または請求項２のいずれかに記載の看板。
【請求項４】
上記表示板は、プラスチックダンボールからなることを特徴とする請求項１ないし請求項３のいずれかに記載の看板。
【請求項５】
上記本体枠は、アルミニウム材をコーティングした鋼材からなることを特徴とする請求項１ないし請求項４のいずれかに記載の看板。
【請求項６】
上記表示板は、光を略入射方向に反射する再起反射性素材で情報が記載されていることを特徴とする請求項１ないし請求項５のいずれかに記載の看板。
【考案の詳細な説明】
【技術分野】
【０００１】
本考案は、例えば道路の工事現場に設置される通行止めの看板など、情報を表示するための看板に関するものである。
【背景技術】
【０００２】
道路の工事現場に設置される通行止めの看板など、情報を表示するための看板としては、一般に、情報を記載した平板状の表示板と、この表示板を取り付ける本体架台とを備えたものが知られている。
【０００３】
このような看板は、従来、表示板と本体架台とがビスやネジなどで相互に固定されて全体として一つの製品として需要先に供給されていた。
【考案の開示】
【考案が解決しようとする課題】
【０００４】
しかしながら、上述の従来の看板では、表示板と本体架台とを不可分に扱っていたので、看板の取り扱いに際して、重く、かさばるという不具合があった。
【０００５】
そのため、看板を使用しない時は、看板を保管するために多大なスペースが必要になるという問題があり、また、保管場所と現場との間や、一つの現場と他の現場との間で看板を輸送する際には、多大な労力とコストが発生するという問題があった。
【０００６】
また、表示板を交換したい場合、本体架台に対する表示板の取り外し及び新たな表示板の取り付け等の作業が非常に面倒であるという問題があった。
【０００７】
本考案は上記不具合に鑑みてなされたものであり、表示板の取り付け作業等の取り扱いが容易で、かつ保管と輸送とに係る労力とコストとを大幅に低減することができる看板を提供することを課題としている。
【課題を解決するための手段】
【０００８】
上記課題を解決するための本考案は、情報を表示する看板であって、情報を記載した平板状の表示板と、この表示板の縁部を係止して表示板を保持する額縁状の本体枠とを備え、上記表示板は、本体枠に対して取り替え可能なものであり、上記本体枠は、本体枠の上下左右の少なくとも一方の方向に設けられ、表示板を挿脱自在な開口部と、この開口部を開閉可能な蓋部とを有していることを特徴とする看板である。
【０００９】
本考案によれば、本体枠が、情報を記載した平板状の表示板の縁部を係止して表示板を保持するとともに、本体枠の上下左右の少なくとも一方の方向に開口部が設けられているので、この開口部を通して表示板を自在に挿脱して取り替えることができるようになる。
【００１０】
また、蓋部で開口部を覆うことができるので外観上好ましいだけでなく、容易に表示板が本体枠から離脱しないようにすることができる。
【００１１】
このように、本考案によれば、重くかさばる本体枠の方は、現場に据え付けたままにして、軽量な表示板だけを移動させたりすることができるなど、ハンドリングに要する重量と容積を大幅に減らして、看板の取り扱いが容易になる。また、本体枠に対して取り替え可能な表示板のみを輸送したり保管したりするだけでよく、看板に係る輸送費や倉庫代などを節約することができるようになる。
【００１２】
ここで、上記蓋部は、ヒンジ部を有し、このヒンジ部により、蓋部が、開口部に対して開閉可能に設けられていることが好ましい。
【００１３】
この好ましい態様によれば、蓋部に設けられたヒンジ部により、蓋部を開口部に対して開閉させることができるようになっているので、蓋部の開口部に対する開閉に係る構造が簡単で、開閉操作も容易である。
【００１４】
また、上記ヒンジ部は、蓋部を開口部に対して閉める方向に付勢する付勢手段を備えていることが好ましい。
【００１５】
この好ましい態様によれば、開口部に対して蓋部を閉める方向に付勢する付勢手段がヒンジ部に設けられており、開口部から離脱しようとする蓋部を押圧して本体枠の中に留めることができるので、看板を取り扱う際に、不用意な扱いに対しても表示板が本体枠から抜け出たりしないようにすることができる。また、表示板が本体枠の中でより安定した状態で保持されるようになる。
【００１６】
また、上記表示板は、プラスチックダンボールからなることが好ましい。
【００１７】
この好ましい態様によれば、軽量なプラスチックダンボールで表示板が構成されているので、より輸送に係る労力とコストとを低減することができる。また、取り扱いに際して仮に人や他の物品と不用意に接触することがあったとしてもそれらに損傷を与えることがない。
【００１８】
また、上記本体枠は、アルミニウム材をコーティングした鋼材からなることが好ましい。
【００１９】
この好ましい態様によれば、アルミニウム材をコーティングした鋼材で本体枠が構成されているので、軽量で扱いやすく、耐候性に優れた看板にすることができる。特に本体枠を長期間風雨にさらすことができるようになるので、本体枠は、現場に据え付けたままにできるなど、本体枠を移動させる頻度を減少させることができる。
【００２０】
さらに、上記表示板は、光を略入射方向に反射する再起反射性素材で情報が記載されていることが好ましい。
【００２１】
この好ましい態様によれば、表示板の情報が、光を略入射方向に反射する再起反射性素材で記載されているので、夜間や雨天などの状況下においても、近づきつつある車に対してその車の方向に照明を有効に反射して表示内容を認識させることができるなど、表示板に表示された情報の視認性が向上する。
【考案の効果】
【００２２】
以上説明したように、本考案によれば、取り扱いが容易で、かつ保管と輸送とに係る労力とコストとを大幅に低減する看板を実現することができるという顕著な効果を奏する。
【考案を実施するための最良の形態】
【００２３】
以下、添付図面を参照しながら本考案の好ましい実施の一形態について詳述する。図１は本考案の実施の形態に係る看板１０の構成を示す説明図であり、（ａ）は、本考案の実施の形態に係る看板１０の正面図、（ｂ）は、本考案の実施の形態に係る看板１０の側面図をそれぞれ示している。
【００２４】
次に、図２は本考案の実施の形態に係る看板１０の蓋部７とヒンジ部８との構成を示す正面図であり、図３は、図２の上面図である。また、図４は、図２の側面図である。また、図５は、本考案の実施の形態に係る看板１０において開口部６が開放された状態を示す説明図である。
【００２５】
図１〜図５を参照して、図示の本考案の実施の形態に係る看板１０は、道路の工事現場に設置される情報１を表示するものであって、情報１を記載した平板状の表示板２と、この表示板２の縁部２ａを係止して表示板２を保持する額縁状の本体枠３とを備えている。
【００２６】
上記情報１は、本実施形態では、道路の工事現場に設置される通行止めの情報が対象となっている。
【００２７】
上記表示板２は、プラスチックダンボールからなる略長方形の平板状の板材で構成されており、本体枠３に対して取り替え可能になっている。
【００２８】
この表示板２に記載された通行止めの情報１は、光を略入射方向に反射する再起反射性素材で記載されていて、夜間などの悪条件下でも情報１の視認性が損なわれないようになっている。
【００２９】
上記本体枠３は、本体架台４と係止部５とを有している。
【００３０】
上記本体架台４は、アルミニウム材をコーティングした鋼材からなる角パイプを略長方形に組み立てて形成したものであり、支持部４ａと、脚部４ｂ、と支持部４ａに対して折り畳み可能な折り畳み脚部４ｃとを有している。
【００３１】
また、図３に示すように、係止部５は、アルミニウム材をコーティングした鋼材からなるアングル材を本体架台４に図略のビス等で組み付けたものであり、本体架台４との間に間隙５ａを設けることにより、表示板２の縁部２ａを係止して表示板２を保持するようになっている。
【００３２】
本実施形態では、この本体枠３の上方向に、表示板２を挿脱自在な開口部６（図５）が設けられ、この開口部６を蓋部７によって開閉することができるようになっている。
【００３３】
この蓋部７は、アルミニウム材をコーティングした鋼材からなるアングル材をヒンジ部８により、角パイプからなる水平上梁４ｄに取り付けたものであり、開口部６を開閉することができるように構成されている。
【００３４】
また，このヒンジ部８は、ヒンジ軸８ａと、軸受け８ｂと、取付板部８ｃとを備えており、ネジ８ｄ、８ｅにより、蓋部７と水平上梁４ｄとにそれぞれ取り付けられている。また、このヒンジ部８は、付勢手段９を備えており、開口部６に対して蓋部７を閉める方向に付勢することができるようになっている。
【００３５】
次に、図５を参照して、本考案の実施の形態に係る看板１０の作用について説明する。
【００３６】
図５に示すように、本考案の実施の形態に係る看板１０においては、図示のように、ヒンジ部８が蓋部７の取り付け角度を変更することにより、開口部６において蓋部７を開放状態にすることができるようになっている。そして、このように蓋部７が開放された状態になることにより、表示板２を挿脱させて本体枠３に対して取り替えることができるようになる。
【００３７】
また、表示板２が挿入された後、もしくは離脱された後は、ヒンジ部８の付勢手段９が、蓋部７を開口部６に対して閉める方向に付勢する。そして、再び図４に示すように開口部６が閉じた状態にすることができる。
【００３８】
以上説明したように、本考案の実施の形態に係る看板１０によれば、額縁状の本体枠３が、情報１を記載した平板状の表示板２の縁部２ａを係止して表示板２を保持するとともに、本体枠３の上下左右の少なくとも一方の方向に開口部６が設けられているので、この開口部６を通して表示板２を自在に挿脱して取り替えることができるようになる。
【００３９】
また、蓋部７で開口部６を覆うことができるので外観上好ましいだけでなく、容易に表示板２が本体枠３から離脱しないようにすることができる。
【００４０】
このように、本考案によれば、重くかさばる本体枠３の方は、現場に据え付けたままにして、軽量な表示板２だけを移動させたりすることができるなど、ハンドリングに要する重量と容積を大幅に減らして、看板１０の取り扱いが容易になる。また、本体枠３に対して取り替え可能な表示板２のみを輸送したり保管したりするだけでよく、看板１０に係る輸送費や倉庫代などを節約することができるようになる。
【００４１】
また、この看板１０によれば、蓋部７に設けられたヒンジ部８により、蓋部７を開口部６に対して開閉させることができるようになっているので、蓋部７の開口部６に対する開閉に係る構造が簡単で、開閉操作も容易である。
【００４２】
また、開口部６に対して蓋部７を閉める方向に付勢する付勢手段９がヒンジ部８に設けられており、開口部６から離脱しようとする蓋部７を押圧して本体枠３の中に留めることができるので、看板１０を取り扱う際に、不用意な扱いに対しても表示板２が本体枠３から抜け出たりしないようにすることができる。また、表示板２が本体枠３の中でより安定した状態で保持されるようになる。
【００４３】
さらに、軽量なプラスチックダンボールで表示板２が構成されているので、より輸送に係る労力とコストとを低減することができる。また、取り扱いに際して仮に人や他の物品と不用意に接触することがあったとしてもそれらに損傷を与えることがない。
【００４４】
また、アルミニウム材をコーティングした鋼材で本体枠３が構成されているので、軽量で扱いやすく、耐候性に優れた看板１０にすることができる。特に本体枠３を長期間風雨にさらすことができるようになるので、本体枠３は、現場に据え付けたままにできるなど、本体枠３を移動させる頻度を減少させることができる。
【００４５】
そして、表示板２の情報１が、光を略入射方向に反射する再起反射性素材で記載されているので、夜間や雨天などの状況下においても、近づきつつある車に対してその車の方向に照明を有効に反射して表示内容を認識させることができるなど、表示板２に表示された情報１の視認性が向上する。
【００４６】
上述した実施の形態は本考案の好ましい具体例を例示したものに過ぎず、本考案は上述した実施の形態に限定されない。
【００４７】
例えば、看板１０は、通行止めの情報１が記載されたものに限定されないし、また道路の工事現場に設置されるものである必要もない。商店やイベント会場の案内板など、情報を表示する看板１０であれば、種々の情報に適用可能である。
【００４８】
表示板２の材料は、プラスチックダンボールに限らないし、形状も略長方形に限らない。木材からなる不定形の看板など、種々の設計変更が可能である。
【００４９】
また、情報１は、必ずしも再起反射性素材で記載されてい必要はなく、通常広く使用されている種々の塗料が採用可能である。
【００５０】
また、本体架台４もアルミニウム材をコーティングした鋼材に限らず、種々の材料が採用可能である。
【００５１】
本実施形態では、本体枠３の上方向に、表示板２を挿脱自在な開口部６が設けられ、この開口部６を蓋部７によって開閉することができるようになっているが、開口部６は、本体枠３の上下左右の少なくとも一方の方向に設けられ、表示板２を挿脱自在にすることができるようになっていればよい。
【００５２】
その他、本考案の実用新案登録請求の範囲内で種々の設計変更が可能であることはいうまでもない。
【図面の簡単な説明】
【００５３】
【図１】本考案の実施の形態に係る看板の構成を示す説明図であり、（ａ）は、本考案の実施の形態に係る看板の正面図、（ｂ）は、本考案の実施の形態に係る看板の側面図をそれぞれ示している。
【図２】本考案の実施の形態に係る本考案の実施の形態に係る看板の蓋部とヒンジ部との構成を示す正面図である。
【図３】図３は、図２の上面図である。
【図４】図２の側面図である。
【図５】本考案の実施の形態に係る看板において開口部が開放された状態を示す説明図である。
【符号の説明】
【００５４】
１      情報
２      表示板
２ａ    表示板の縁部
３      本体枠
６      開口部
７      蓋部
８      ヒンジ部
９      付勢手段
１０    看板
【図１】
0003105763.tif 000003
【図２】
0003105763.tif 000004
【図３】
0003105763.tif 000005
【図４】
0003105763.tif 000006
【図５】
0003105763.tif 000007